(57)【特許請求の範囲】
【請求項１】
硬質材料からなる回路基板と、この回路基板上に配置され駆動軸が前方に延びる計器本体と、前記駆動軸の先端側に装着される透光性材料からなる合成樹脂製の指針と、この指針と前記回路基板との間に配置され、前記指針に設けられた指示部の指示に対応する指標部を有する表示板と、前記回路基板の表面側に配置され前記指針の指示部と前記表示板の指標部とを照明する光源と、からなる計器照明装置において、前記光源は青色発光ダイオードチップと黄色発光蛍光体とを組み合わせた白色発光ダイオードからなり、前記指針は青色と黄色の顔料による混合色によって得られた緑色発光指示部を備えるとともに、少なくとも前記指示部には黄色の蛍光顔料を含むことを特徴とする計器照明装置。
【請求項２】
前記指示部の裏面側に反射率の高いホットスタンプ層を設けたことを特徴とする請求項１に記載の計器照明装置。
【発明の詳細な説明】
【技術分野】
【０００１】
本発明は、たとえば建設機械などの特殊車輌や船舶、あるいは自動車、オートバイ等に搭載され、光源からの照射光線で表示板（表示パネル）や指針を照明表示する指示計器における照明装置、特に指針の指示部を発光表示する計器照明装置に関するものである。
【背景技術】
【０００２】
従来、例えば自動車などの指示計器として、光源からの照射光線で表示板（指標部を施した表示パネル）や指針を照明表示する指示計器、特に、照明表示の際に指針の指示状態を見やすくするために光源による照射光線によって指針を透過照明（発光照明）する発光指針タイプによる計器照明装置が知られている。
【０００３】
この計器照明装置は、その発光する指針の色合いとして赤色や青色など様々な色合いからなる照明色を得るようにしている。近年では、燃費向上のための運転を促すエコ表示としてグリーン系の色合いからなる照明色を表示板上に表示したり、表示板に設けられた指標部の照明色をグリーン系の色合いにて照明表示することがある。加えて、指針の照明色として同様にしてエコ表示色に合わせて緑色に指針の指示部を発光表示するようにしたものが提案されている。
【０００４】
また、表示板とともに指針を同一の光源によって照明表示することによってコストの低減が図られるため、一般的にその光源として白色光からなる発光ダイオード（例えば特許文献１参照）を適用し、例えばその白色発光ダイオードからの白色光を発光指針の基部側から光を受け入れ指針の指示部を緑色に発光表示（透過表示）するように構成するとともに、白色発光ダイオードの白色光を表示パネルの指標部側へとそれぞれ導いて指標部の色合い、例えばエンジン回転の通常の走行時における回転領域では緑色にて指標部が透過照明されるように緑色の印刷層が施され、エンジン回転の指示が高回転であるレッドゾーン領域では赤色やオレンジ色からなる照明色として表示板上に設けられた指標部が透過照明されるようにしている。
【先行技術文献】
【特許文献】
【０００５】
【特許文献１】特開２００６−２６１５４０号公報
【発明の開示】
【発明が解決しようとする課題】
【０００６】
ところで前述した特許文献１などにあっては、青色発光ダイオードチップとその表面に黄色発光蛍光体が混和された充填樹脂による封止樹脂で覆うことによって前述した白色発光ダイオードが形成されるものであり、青色発光ダイオードチップからの光と、黄色発光蛍光体からの光との混合色で白色発光を得るようにしている。
【０００７】
また、指針の発光色を緑色に発光させる場合、青色と黄色とからなる顔料を透明樹脂中に含有することによって、青色と黄色との混合色にて緑色を得るようにしている。
【０００８】
しかしながら、このような発光式の指針は、光源を前述したように青色成分と黄色成分からなる白色発光ダイオードが一般的に用いられているため、指針の指示部箇所に含有する青色顔料が白色発光ダイオードの青色光成分によって強調され、青みがかった緑色の発光色となるため、緑色の発光色を得るためには、黄色の顔料を増やし緑色に近づけることができるようにする必要がある。この際、黄色の顔料を添加すればする程、指針の指示部の透過率が下がるため、この結果、指針の指示部の発光輝度が低下してしまい視認性の点において問題がある。
【０００９】
そこで本願発明は、前述の問題点に着目し、緑色で高輝度発光の指針の指示部を持つ発光式指針を得ることのできる計器照明装置を提供することを目的とする。
【課題を解決するための手段】
【００１０】
本発明は前述した課題を解決するため、請求項１では、硬質材料からなる回路基板と、この回路基板上に配置され駆動軸が前方に延びる計器本体と、前記駆動軸の先端側に装着される透光性材料からなる合成樹脂製の指針と、この指針と前記回路基板との間に配置され、前記指針に設けられた指示部の指示に対応する指標部を有する表示板と、前記回路基板の表面側に配置され前記指針の指示部と前記表示板の指標部とを照明する光源と、からなる計器照明装置において、前記光源は青色発光ダイオードチップと黄色発光蛍光体とを組み合わせた白色発光ダイオードからなり、前記指針は青色と黄色の顔料による混合色によって得られた緑色発光指示部を備えるとともに、少なくとも前記指示部には黄色の蛍光顔料を含むことを特徴とする計器照明装置。
【００１１】
このように構成することにより、緑色発光式の指針は青色顔料と黄色顔料との混合色で得られるが、さらに黄色の蛍光顔料を添加することによって、緑色で高輝度発光の指針の指示部を持つ発光指針を得ることができ、全体の計器照明装置の照明輝度を高めることができ、視認性の良好な計器の照明効果を期待することができる。
【００１２】
また請求項２では、請求項１に記載の計器照明装置において、前記指示部の裏面側に反射率の高いホットスタンプ層を設けたことを特徴とする計器照明装置である。
【００１３】
このように構成することにより、指針の指示部の裏面側に照射された光は反射されて視線方向に届きやすくなり明るく指針指示部を照らし出すことができる。この際、反射率の高いホットスタンプ層によって指示部の先端側まで反射を繰り返したときに減衰する光量を抑えることができ、明るく指示部先端まで発光することが可能となる。
【発明の効果】
【００１４】
本発明では、硬質材料からなる回路基板と、この回路基板上に配置され駆動軸が前方に延びる計器本体と、前記駆動軸の先端側に装着される透光性材料からなる合成樹脂製の指針と、この指針と前記回路基板との間に配置され、前記指針に設けられた指示部の指示に対応する指標部を有する表示板と、前記回路基板の表面側に配置され前記指針の指示部と前記表示板の指標部とを照明する光源と、からなる計器照明装置において、前記光源は青色発光ダイオードチップと黄色発光蛍光体とを組み合わせた白色発光ダイオードからなり、前記指針は青色と黄色の顔料による混合色によって得られた緑色発光指示部を備えるとともに、少なくとも前記指示部には黄色の蛍光顔料を含むことを特徴とする計器照明装置であるため、緑色発光式の指針は青色顔料と黄色顔料との混合色で得られるが、さらに黄色の蛍光顔料を添加することによって、緑色で高輝度発光の指針の指示部を持つ発光指針を得ることができ、全体の計器照明装置の照明輝度を高めることができ、視認性の良好な計器の照明効果を期待することができるものであり、これにより初期の目的を達成することができる。
【図面の簡単な説明】
【００１５】
【図１】本発明の第１の実施形態である計器照明装置を示す正面図である。
【図２】図１のＡ−Ａ線箇所の要部を示す断面図である。
【図３】図２の要部を示す拡大断面図である。
【発明を実施するための最良の形態】
【００１６】
本発明の対象とする計器照明装置として、車両用の計器照明装置を例にして詳述する。以下本発明の実施例を添付図面に基づいて説明する。
【実施例１】
【００１７】
図１から図３は本発明の第１の実施形態を示すもので、計器本体１の指針軸２の先端側に固着され、指針軸２を中心に回転する指針３と、この指針３の背面側に位置し透過照明される目盛や数字や記号などからなる指標部４Ａが施された表示板４と、この表示板４の背面側に位置する硬質の回路基板５と、この回路基板５上に設けられ、それぞれ指針３と表示板４とを照明表示する光源である白色発光ダイオード６と、この白色発光ダイオード６によって表示板４を透過照明するための照明領域を照らし出すための反射壁７Ａと指針３を区画する円筒形の仕切り壁７Ｂとを備えた合成樹脂製の枠体からなるケース体７とによって構成されている。
【００１８】
なお、回路基板５の背後には指針軸２を回動する計器本体１が取付固定されている。
【００１９】
また、発光照明される指針３としては、透明な合成樹脂、たとえばアクリル樹脂からなる透光性の指示部３１を有する指針本体３０と、この指針本体３０の基部側である回動中心領域の上面側およびその周囲を覆う黒色系の遮光性合成樹脂からなる指針キャップ３２と、指針本体３０の回動中心領域である指針本体３０の基部側を支持するとともに、計器本体１の回転軸２に装着固定される黒色系の合成樹脂からなる略平板状の指針座３３と、によって構成されている。本実施形態にあっては、指針本体３０の回動中心領域である指針３の基部側から表示板４の指標部４Ａに沿うようにほぼ水平方向に指示部３１が延びるように形成されている。
【００２０】
また光源である白色発光ダイオード６は、従来一般的に用いられている構成と同様にして、例えば青色に発光する発光ダイオードチップ６１と、その表面に黄色の蛍光体６２を混和した充填樹脂６３によって積層配置することによって形成されるものであり、その発光ダイオードチップ６１からの光で蛍光体６２を励起し、発光ダイオードチップ６１の光と、蛍光体６２からの光とを混合させ、白色発光ダイオード６から外部に光が放出されるときには、お互いが補色関係にある青色と黄色とが混合されて、白色光を得る構成としている。
【００２１】
また本実施形態における指針３は、透明な合成樹脂、たとえばアクリル樹脂により成形されており、この指針３の成形時において、指針の発光色を緑色に発光させる場合、青色と黄色とからなる顔料ｐをそれぞれ透明樹脂中に含有することによって、青色と黄色との混合色にて緑色の色合いが得られるようにしている。
【００２２】
また前述の白色発光ダイオード６を用いて指針３を緑色に発光させる場合、従来の不具合点であった白色発光ダイオード６の青色に発光する発光ダイオードチップ６１の色合いによって影響される指針３の緑色の鮮明度が不十分となりやすい点を補うとともに照明輝度を高めるために、本実施形態においては青色と黄色とからなる顔料ｐに加えて、指針３の成形時において黄色の蛍光顔料ｆを含有するようにしている。
【００２３】
指針３の指示部３１の裏面側には、反射率の高い、例えば白色などのホットスタンプ層３４が設けられている。
【００２４】
なお、表示板４は、透光性の合成樹脂材料からなる基板の表面に目盛や数字や文字などの指標部４Ａが印刷されており、その指標部４Ａの色合いとして、例えばエンジン回転の通常の走行時における回転領域では緑色にて指標部４Ａが透過照明されるように緑色の印刷層が施され、エンジン回転の指示が高回転であるレッドゾーン領域では赤色やオレンジ色からなる照明色として表示板４上に設けられた指標部４Ａが透過照明されるように設けられている。
【００２５】
また指標部４Ａ以外の領域である表示板４の地色部４Ｂは、例えば黒色などの不透過による地色印刷層によって印刷形成されている。
【００２６】
上記構成からなる第１実施形態における計器照明装置にあっては、白色発光ダイオード６から照射される光線は、指針３の照明領域を区画する円筒形の仕切り壁７Ｂを介してその光線の一部が指針３の指針本体３０内に入光し、指針本体３０に設けられた反射面などを介して指示部３１が緑色にて光輝される。
【００２７】
この際、緑色発光式の指針３は青色顔料ｐと黄色顔料ｐとの混合色で得られるが、指針３の緑色の鮮明度が不十分となりやすい点を補うために、さらに黄色の蛍光顔料ｆを添加することによって、鮮明な色合いからなる緑色で高輝度発光の指針３の指示部３１を持つ発光指針を得ることができ、これにより全体の計器照明装置の照明輝度を高めることができ、視認性の良好な計器の照明効果を期待することができる。
【００２８】
また指針３の指示部３１の裏面側に反射率の高い、白色などのホットスタンプ層３４を設けてなることにより、指針３の指示部３１の裏面側に照射された光によって視線方向に反射されて届きやすくなり、明るく指針指示部３１を照らし出すことができる。この際、反射率の高いホットスタンプ層３４によって指示部３１の先端側まで反射を繰り返したときに減衰する光量を抑えることができ、明るく指示部３１先端まで発光することが可能となる。
【００２９】
また表示板４を透過照明するための照明領域を照らし出すための反射壁７Ａを介して白色発光ダイオード６から照射される光線の一部は、指標部４Ａ側へと導かれ指標部４Ａが透過照明される。この際、エンジン回転の通常の走行時における回転領域では緑色にて指標部４Ａが透過照明され、エンジン回転の指示が高回転であるレッドゾーン領域では赤色やオレンジ色からなる照明色として表示板４上に設けられた指標部４Ａが透過照明される。
【００３０】
従って、白色発光ダイオード６は共通で、指針３の指示部３１は緑色に発光され、表示板４の指標部４Ａは緑色と赤色などで、それぞれ異色の色合いにて照明することができ、しかも明るく鮮明に照明表示することができる。
【００３１】
なお本発明は、前記実施形態に限定されるものではなく本発明の要旨の範囲内において種々の変形実施が可能であり、例えば実施形態においては、指針本体３０の回動中心領域である指針本体３０の基部側の背面に、計器本体１の回転軸２に装着固定される黒色系の合成樹脂からなる略平板状の指針座３３を別個に設けて指針を形成していたが、例えば指針本体３０の基部側の背面に光源である白色発光ダイオード６を直接受け入れる受光部を設けるように形成しても良いものであり、また、指針本体３０箇所と指示部３１とを分割形成した指針３であっても良い。また、指針３の指示部３１を表示板４面に沿ってほぼ水平方向に延びるように形成していたが、その指示部３１の形状としては先端側が上側方向に湾曲形成したり、先端側を表示板４側に向けて部分的に屈曲するように形成しても良いものであり、また指示部の３１の肉厚寸法なども適宜に設定すれば良いものである。
【００３２】
また指針３の成形時において、青色と黄色とからなる顔料ｐに加えて、指針３の成形時において黄色の蛍光顔料ｆを含有するようにしているが、色合いを設定する際に各顔料ｐや黄色の蛍光顔料ｆの配合などを適宜に設定することにより所定の色合いを調色することができるものである。
【産業上の利用可能性】
【００３３】
また、前述した実施形態において詳述したように、自動車やオートバイなどにおける計器照明装置を例にして説明したが、車両用に限らず船舶用計器あるいは農業用機械や建設機械などの計器照明装置などにおいても適用することが可能であり、同様な効果を得ることができる。
【符号の説明】
【００３４】
ｆ    蛍光顔料（黄色）
ｐ    顔料（青色、黄色）
１    計器本体
２    駆動軸（指針軸）
３    指針
４    表示板
４Ａ    指標部
４Ｂ    地色部
５    回路基板
６    白色発光ダイオード
７    ケース体
７Ａ    反射壁
７Ｂ    仕切り壁
３０    指針本体
３１    指示部
３２    指針キャップ
３３    指針座
３４    ホットスタンプ層
６１    発光ダイオードチップ（青色）
６２    蛍光体（黄色）
６３    充填樹脂
【図１】
0005477656.tif 000002
【図２】
0005477656.tif 000003
【図３】
0005477656.tif 000004